(57)【要約】【課題】アルファベットと数字の組み合わせからなるアカウントに基づく、通信システムおよび方法を提供する。【解決手段】通常の電話やコンピュータを介して、アルファベットと数字の組み合わせからなるアカウントによって、アカウント・ネットワーク・ベースの電話機ユーザーへ直接ダイヤルすることを容易にする通信システム及び方法が開示されている。このコンピュータは、一組の予め定められたアルファベット・数字コード対照テーブルを備えている。更に、電話機に連結する全ての拡張ユニットにより、通信交換機システムが構成され、屋内の異なる場所から、直接ネットワーク・ベースの電話機への呼び出しを行うことができる。【選択図】図１
2009022000.tif 000002
【特許請求の範囲】
【請求項１】
ネットワーク・ベースの電話機ユーザーがアルファベットと数字の組み合わせからなるアカウントに基づいて、ネットワークシステムを介して、電話機セットを用いて通信を行う通信システムであって、
ネットワーク接続装置を介して、前記ネットワークシステムに接続したコンピュータと、
少なくともアルファベット・数字コード対照テーブルを格納し、前記コンピュータに接続したメモリと、
送信インタフェースを介して、前記コンピュータに接続した少なくとも一つのベースユニットであって、前記電話機セットは、このベースユニットに接続している、ベースユニットと、前記ベースユニットに結合した少なくとも一つの拡張ユニットとを備えた通信システム。
【請求項２】
前記拡張ユニットと前記ベースユニットは、それぞれ電話機セットに接続しており、前記コンピュータは、ＰＳＴＮおよびインターネットに接続しており、前記ベースユニットは、ディスプレイを備え、それぞれの電話機セットは、直接ネットワーク・ベースの電話機ユーザーにダイヤルし、前記アルファベットと数字の組み合わせからなるアカウントは、前記ベースユニットのディスプレイに表示されることを特徴とする請求項１に記載の通信システム。
【請求項３】
前記ベースユニットは、呼び出し検出回路と、着信呼び出し検出回路と、ループ制御回路と、呼び出し回路と、ＰＳＴＮ通信スイッチング回路と、ダイヤラーと、呼び出し電力回路と、デコーダと、コンピュータ通信スイッチング回路と、通信カップリング回路と、ＣＰＵと、オーディオ回路と、メモリと、ディスプレイと、キーセットと、スピーカと、ベースユニット呼び出し検出回路とを備えたことを特徴とする請求項２に記載の通信システム。
【請求項４】
前記拡張ユニットは、着信呼び出し検出回路と、ループ・シミュレーション回路と、呼び出し回路と、ダイヤラーと、デコーダと、ＣＰＵと、メモリと、ディスプレイと、キーセットと、スピーカと、拡張ユニット呼び出し検出回路と、から成ることを特徴とする請求項１に記載の通信システム。
【請求項５】
ネットワーク・ベースの電話機ユーザーがアルファベットと数字の組み合わせからなるアカウントに基づいて、ネットワークシステムを介して、電話機セットを用いて通信を行う方法であって、
ネットワーク接続装置を介して、前記ネットワークシステムに接続したコンピュータと、少なくともアルファベット・数字コード対照テーブルを格納し、前記コンピュータに接続したメモリと、送信インタフェースを介して、前記コンピュータに接続した少なくとも一つのベースユニットであって、前記電話機セットは、このベースユニットに接続している、ベースユニットと、前記ベースユニットに結合した少なくとも一つの拡張ユニットとを用い、
（ａ）前記電話機セットは、ダイヤリング手続きに基づいて、ネットワーク・ベースの電話機ユーザーのアルファベットおよび数字の組み合わせからなるアカウントを受信して、一組の対応するコードを生成し、
（ｂ）前記ベースユニットは、前記電話機セットからのコードを受信して、アルファベット・数字コード対照テーブルを用いて、アルファベットおよび数字の組み合わせからなるアカウントのコードを、数字コードに変換し、
（ｃ）前記コンピュータおよび前記ネットワークシステムを介して、ネットワーク・ベースの電話機ユーザーとの通信を行うステップからなる通信を行う方法。
【請求項６】
前記アルファベットおよび数字の組み合わせからなるアカウントに対応する、数字コードと前記アルファベットおよび数字の組み合わせからなるアカウントを表示するステップをさらに含むことを特徴とする請求項５に記載の通信を行う方法。
【請求項７】
前記ダイヤリング手続きは、アカウント・ダイヤリング手続きと、数字ダイヤリング手続きと、ベースユニット選択ダイヤリング・モードとからなることを特徴とする請求項５に記載の通信を行う方法。
【請求項８】
コンピュータ・ネットワーク着信呼び出し応答手続きを更に含むことを特徴とする請求項５に記載の通信を行う方法。
【請求項９】
ＰＳＴＮ着信呼び出し応答手続きを更に含むことを特徴とする請求項５に記載の通信を行う方法。
【請求項１０】
呼び出し元開放手続きを更に含むことを特徴とする請求項５に記載の通信を行う方法。
【請求項１１】
内線呼び出し手続きを更に含むことを特徴とする請求項５に記載の通信を行う方法。
【請求項１２】
前記拡張ユニットは、拡張ユニット・ダイヤリング・モードおよび拡張ユニット選択ダイヤリング・モードを備えたことを特徴とする請求項５に記載の手段。
【請求項１３】
前記拡張ユニットは、ユーザー・アカウント記録編集手続きを備えたことを特徴とする請求項１２に記載の手段。
【発明の詳細な説明】
【技術分野】
【０００１】
本発明は、ネットワーク・ベースの電話通信技術に関する。そして、より詳しくは、アルファベットと数字の組み合わせからなるアカウントに基づく、通信システムおよび方法に関する。
【背景技術】
【０００２】
コンピュータ・ネットワーク・ベースの電話技術では、コンピュータを作動して、アナログ音声信号をデジタルデータ・パッケージに圧縮し、インターネット上で電話の呼び出しをすることにより通信を行う。それによって、ポイント・ツー・ポイントによるリアルタイム音声伝送がインターネット上で実現する。インターネットを用いることにより、リアルタイムの音声サービスの提供が可能となるだけではなく、ユーザーは、ＰＳＴＮ（一般加入電話網）を用いることなく、世界中の相手と長距離電話会話を行うことが可能となる。
【発明の開示】
【発明が解決しようとする課題】
【０００３】
一般のコンピュータ・ネットワーク・ベースの電話（インスタント・メッセージ）のユーザー・アカウント・コード（通信ネットワーク・ベースの電話アカウント）では、アルファベット、記号および数字を組み合わせることによって、ユーザーを識別するための特定のアカウントが構成されている。
【０００４】
ユーザーが呼び出し相手にダイヤルして通信する場合、ローカルのコンピュータで呼び出し先のエンドユーザーを選ぶ必要がある。したがって、ユーザーが呼び出し相手にダイヤルする時は、繰り返し呼び出し手続きを実行する必要がある。それは、ユーザーにとっては、やっかいで面倒な作業である。
【０００５】
したがって、本発明の要旨は、通常の電話やコンピュータを介して、アルファベットと数字の組み合わせからなるアカウントによって、アカウント・ネットワーク・ベースの電話機ユーザーへ直接ダイヤルすることを容易にする通信システム及び方法を提供することである。
【０００６】
また、本発明の目的は、ユーザーがダイヤルする呼び出し電話コード（０−９＃＊等）を決め、この電話コードを、予め定められている数字コードを用いて、ＣＰＵが変換を行うことである。ユーザーがダイヤルしたコードを、呼び出し相手のユーザー・アカウント・コードに変換した後に、このユーザー・アカウント・コードは、オーディオ回路からコンピュータまで送信され、離れたコンピュータ・ネットワーク・ベースの電話ユーザーからの呼び出し通信リクエストが行われる。
【課題を解決するための手段】
【０００７】
本発明の好ましい実施例による通信システムは、ネットワーク・ベースの電話機ユーザーがアルファベットと数字の組み合わせからなるアカウントに基づいて、ネットワークシステムを介して、電話機セットを用いて通信を行う通信システムであって、ネットワーク接続装置を介して、前記ネットワークシステムに接続したコンピュータと、少なくともアルファベット・数字コード対照テーブルを格納し、前記コンピュータに接続したメモリと、送信インタフェースを介して、前記コンピュータに接続した少なくとも一つのベースユニットであって、前記電話機セットは、このベースユニットに接続している、ベースユニットと、前記ベースユニットに結合した少なくとも一つの拡張ユニットとを備えている。
【０００８】
本発明の好ましい実施例による通信方法は、ネットワーク・ベースの電話機ユーザーがアルファベットと数字の組み合わせからなるアカウントに基づいて、ネットワークシステムを介して、電話機セットを用いて通信を行う方法であって、ネットワーク接続装置を介して、前記ネットワークシステムに接続したコンピュータと、少なくともアルファベット・数字コード対照テーブルを格納し、前記コンピュータに接続したメモリと、送信インタフェースを介して、前記コンピュータに接続した少なくとも一つのベースユニットであって、前記電話機セットは、このベースユニットに接続している、ベースユニットと、前記ベースユニットに結合した少なくとも一つの拡張ユニットとを用い、（ａ）前記電話機セットは、ダイヤリング手続きに基づいて、ネットワーク・ベースの電話機ユーザーのアルファベットおよび数字の組み合わせからなるアカウントを受信して、一組の対応するコードを生成し、（ｂ）前記ベースユニットは、前記電話機セットからのコードを受信して、アルファベット・数字コード対照テーブルを用いて、アルファベットおよび数字の組み合わせからなるアカウントのコードを数字コードに変換し、（ｃ）前記コンピュータおよび前記ネットワークシステムを介して、ネットワーク・ベースの電話機ユーザーとの通信を行うステップからなる。
【発明の効果】
【０００９】
上記の構成により、通常の電話やコンピュータを介して、アルファベットと数字の組み合わせからなるアカウントによって、アカウント・ネットワーク・ベースの電話機ユーザーへ直接ダイヤルすることが容易となる。このコンピュータは、一組の予め定められたアルファベット・数字コード対照テーブルを備えている。更に、電話機に連結する全ての拡張ユニットにより、通信交換機システムが構成され、屋内の異なる場所から、直接ネットワーク・ベースの電話機への呼び出しを行うことができる。
【発明を実施するための最良の形態】
【００１０】
図１に示すように、本発明のシステムは、コンピュータＰＣ、ベースユニットＢＳと、複数の拡張ユニットＥＸ１、ＥＸ２、ＥＸ３とを備え、これらベースユニットＢＳおよび拡張ユニットＥＸ１、ＥＸ２、ＥＸ３には、それぞれ電話機ＴＥＬ１、ＴＥＬ２、ＴＥＬ３、ＴＥＬ４が接続されている。コンピュータＰＣは、たとえば、ＰＳＴＮ／インターネットおよびネットワーク接続装置ＡＤＳＬで構成されるネットワークシステムＮＴに接続されている。各々の電話機ＴＥＬ１、ＴＥＬ２、ＴＥＬ３を操作して、ユーザーは呼び出し先のエンドユーザー（例えばＳＫＹＰＥアカウント）に直接ダイヤルすることができる。本発明のキーセットによって、ユーザーは、アカウントのダイヤル、登録、削除を選択的に行うことができる。更に、ユーザーは、選択的にＰＳＴＮまたはＳＫＹＰＥアカウントのいずれかにダイヤルすることができる。各々の電話機ＴＥＬ１、ＴＥＬ２、ＴＥＬ３、ＴＥＬ４は、内線呼び出しによる通信が可能となっている。
【００１１】
図２には、図１のベースユニットの機能ブロック図を示す。そして、次の構成要素が示されている。
【００１２】
＜１．呼び出し検出回路Ａ１＞
この回路は、ブリッジ整流器ＢＲＡ２、抵抗器Ｒ３１、Ｒ３２、Ｒ３３およびオプティカル・カプラＰＨＡ３で構成される。端子ＴＩＰ、ＲＩＮＧは、この回線の拡張ユニットに接続する。電話機接続端子Ｔ１、Ｔ２は、ベースユニットの電話機セットに接続する。ユーザーが、この回線のベースユニットや電話機セットからの接続を行うと、呼び出し検出回路Ａ１は、呼び出し電力回路Ａ７を経て電流の印加を行い、信号ラインＨＫ１は、正の電圧レベルを示し、ＣＰＵ（Ａ１１）が呼び出し要求を行っていることを、ベースユニットや拡張ユニットに通知する。
【００１３】
＜２．着信呼び出し検出回路Ａ２＞
この回路は、キャパシターＣ１、抵抗器Ｒ１、Ｒ２、Ｒ３およびオプティカル・カプラＰＨＡ１で構成され、ＰＳＴＮからの着信呼び出し要求を検出できる。着信呼び出し検出回路Ａ２が、ＰＳＴＮからの呼び出しを検出する時に、信号ラインＬＰの電圧はハイレベルに上昇し、ＣＰＵは対応するプロセスを実行する。
【００１４】
＜３．ループ制御回路Ａ３＞
この回路は、ブリッジ整流器ＢＲＡ１、抵抗器Ｒ４、Ｒ５、Ｒ６、Ｒ１１、トランジスタＴＲ１、ＴＲ２およびオプティカル・カプラＰＨＡ２で構成される。回路ブリッジは、ブリッジ整流器ＢＲＡ１から回線端子Ｌ１、Ｌ２に接続する。ＰＳＴＮへの呼び出しを必要とする時には、ＣＰＵ（Ａ１１）は、信号ラインＬＰを駆動して、通信のための直接の電流ループを構成して、離れた交換機が、ユーザーからの通信要求を検出することを可能にする。
【００１５】
＜４．呼び出し回路Ａ４＞
この呼び出し回路Ａ４は、抵抗器Ｒ７、Ｒ８、Ｒ１２、Ｒ１３およびトランジスタＴＲ３で構成される。その信号出力は、ＣＰＵ信号ラインＤＳ１により制御される。この回路は、ループ制御回路Ａ３を調整するものであり、主に、呼び出し回路Ａ４の呼び出し信号を増幅し、ローカルの呼び出し回線へ送信して、信号のやりとりや受信を行うのに用いられる。
【００１６】
＜５．ＰＳＴＮ通信スイッチング回路Ａ５＞
この回路は、リレーＲＹ１、トランジスタＴＲ４および抵抗器Ｒ１４で構成される。ベースユニットまたは拡張ユニットの電話機セットが、ＰＳＴＮと通信する必要がある場合、リレーＲＹ１はＣＰＵ（Ａ１１）により駆動されて、この電話機セットをラインＬ１、Ｌ２に接続することにより、通信を確立する。
【００１７】
＜６．ダイヤラーＡ６＞
ダイヤラーＡ６はＦＳＫ／ＤＴＭＦ信号発生器で構成され、ＣＰＵ信号ラインＤＴ１、ＤＴ２、ＤＴ３、ＤＴ４により制御される。
【００１８】
ダイヤラーＡ６の第１の機能は、数字ユーザーと通信するために、ＰＳＴＮにダイヤルしている呼び出し先のエンドユーザーのダイヤル・コードを示す数字をＰＳＴＮに送信することである。
【００１９】
ダイヤラーＡ６の第２の機能は、コンピュータ・ユーザーのアカウント・コードを、拡張ユニットに送信し、ＰＳＴＮユーザーから受け取った数字コードを転送することである。
【００２０】
ダイヤラーＡ６の第３の機能は、ダイヤルトーンやビジートーンを信号ラインの末端に位置する電話機セットに送信することである。
【００２１】
＜７．呼び出し電力回路Ａ７＞
この回路は、抵抗器Ｒ２０、Ｒ２１および呼び出し電力発生器で構成される。呼び出し電力発生器は、ダイヤルする時に、必要な使用電流を供給する。
【００２２】
この回路は、ダイヤル呼び出しの際の、ダイヤルトーンまたはビジートーンを生成する。
【００２３】
コンピュータ・ネットワーク・ベースの電話機が呼び出しを行う時に、この回路は、ＣＰＵの制御下で、着信呼び出し信号（呼び出し音信号）を、呼び出し相手に送信し、呼び出し音と応答を制御する。
【００２４】
＜８．デコーダＡ８＞
この回路は、ＤＴＭＦデコーダ、抵抗器Ｒ２２、Ｒ２３およびキャパシターＣ３、Ｃ４で構成され、通信経路にブリッジ接続する。この回路の主要な目的は、シーケンシャルに呼び出し相手のダイヤル・コードを得ることと、それをデコードし、ＣＰＵ（Ａ１１）に送信することである。その後、アルファベット・数字コード対照テーブルに従って、ダイヤル・コードは呼び出し先ユーザー・アカウントに変換され、ダイヤルされるかＰＳＴＮユーザーに送信される。
【００２５】
＜９．コンピュータ通信スイッチング回路Ａ９＞
この回路は、リレーＲＹ２、トランジスタＴＲ５および抵抗器Ｒ３０で構成される。コンピュータ・ネットワーク通信を実行する時、ＣＰＵ（Ａ１１）はリレースイッチを駆動して、呼び出し相手電話機と、ベースユニットまたは拡張ユニットとの間の通信を確立するために、通信カップリング回路Ａ１０をカプラＣＴ１を介して通信経路に接続する。
【００２６】
＜１０．通信カップリング回路Ａ１０＞
この回路は、整流コイルＣＴ１、抵抗器Ｒ２４、Ｒ２５、Ｒ２６、Ｒ２７、Ｒ２８、Ｒ２９、キャパシターＣ５、Ｃ６、演算増幅器ＯＰＡ、ＯＰＢで構成される。この回路の主たる機能は、オーディオ回路Ａ１２の二線信号を出力し、二線信号を入力することである（入力と出力で四線信号となる）。上記要素のマッチングを行うことで、通常の二線の構成に変換することも、また、その逆の変換も可能である。
【００２７】
呼び出しを必要とする時、ＣＰＵ（Ａ１１）はリレーＲＹを駆動し、そして、呼び出し検出回路Ａ１およびリレー接点ＲＹ１ａ、ＲＹ１ｂを介して、電話機を、ネットワーク・ベースの電話通信リンクに接続して通信を確立する。
【００２８】
これに対して、装置がネットワーク・ベースの電話機の呼び出しを検出する時は、ＣＰＵも、リレーＲＹ１を駆動して、電話機を、呼び出し検出回路Ａ１を介して、ネットワーク・ベースの電話通信経路に接続して通信を確立する。
【００２９】
＜１１．ＣＰＵ（Ａ１１）＞
ＣＰＵ（Ａ１１）は信号評価と選択されたダイヤル処理の機能を担っている。関連した検出回路の駆動信号に従って、ＣＰＵ（Ａ１１）は、ダイヤリング、選択的なピッキングおよび着信応答を制御する。
【００３０】
また、メモリに格納されているアルファベット・数字コード対照テーブルに従って、ＣＰＵ（Ａ１１）は、電話機からの数字コードを、アルファベットを組み合わせたアカウント・コードに変換し、呼び出し側からのアルファベットを組み合わせたアカウント・コードを、数字ダイヤル・コードに変換すると共に、その逆の変換も行う。
【００３１】
ＣＰＵ（Ａ１１）は、変換され受け取ったダイヤル・コードを、メモリに格納することができ、削除機能、検索機能および転送呼び出し機能を実行することができる。
【００３２】
更に、ＣＰＵ（Ａ１１）は、この装置の各々の信号を送信し、制御することによって、信号に対応する可聴音声をスピーカＳＰから出力させる。
【００３３】
＜１２．オーディオ回路Ａ１２＞
この回路によって、インターネットから受け取ったデジタル信号を、音声チップによって、可聴アナログ信号へ変換することができ、また、入力アナログ信号をデジタル信号へ変換し、インターネットに送信することができる。更に、オーディオ回路Ａ１２は、接続インタフェースＵＳＢを介して、コンピュータＰＣに接続される。
【００３４】
オーディオ回路Ａ１２の他の機能は、ＣＰＵ（Ａ１１）による検出と制御に基づいて、ネットワーク・ベースの電話機からの着信を受信し、呼び出し相手のアカウントをＣＰＵ（Ａ１１）に送信することである。
【００３５】
＜１３．メモリＡ１３＞
メモリＡ１３は、三つの構成要素に分けられる。
【００３６】
メモリの最初の要素は、アルファベット・数字コード対照テーブルメモリＲＯＭ１である。このメモリＲＯＭ１には、少なくとも、アルファベットおよび数字コード対照表（図３参照）が保存される。このテーブルは、複数のアルファベット・コードＴＡＢ１ａおよび組み合わせ数字コードＴＡＢ１ｂの対応するデータを含む。ＣＰＵは、アルファベット・数字コード対照テーブルによって、アルファベット・コードＴＡＢ１ａを組み合わせ数字コードＴＡＢ１ｂに変換すると共に、その逆の変換も行う。
【００３７】
メモリの第二の要素は、ユーザー対応アカウント・メモリＲＯＭ２であり、少なくとも一つのユーザー対応アカウントを格納するための記憶領域（電話帳）となっている。そして、ＣＰＵ（Ａ１１）によって、追加、削除、確認、編集を行うことができる。
【００３８】
メモリの第三の要素は、一時記憶メモリＲＯＭ３であって、少なくとも一つの着信または発信呼び出しの為のユーザー数字コードを格納するのに利用する。
【００３９】
＜１４．ディスプレイＡ１４＞
ディスプレイＡ１４によって、数字コードに対応するユーザーの組み合わせアルファベット・コードと共に、視覚的な操作情報を表示する。
【００４０】
＜１５．キーセットＡ１５＞
キーセットＡ１５はＳＴＯ、ＤＡ、ＵＰ、ＤＮ、ＣＬボタンから成る。これにより、直接電話帳のユーザー・アカウントを編集し、検索し、ダイヤルし、選択し、追加し、削除することができる。
【００４１】
＜１６．スピーカＡ１６＞
スピーカ・ユニットＳＰは、ＣＰＵ（Ａ１１）により制御され、さまざまな可聴警報音を出力して、ユーザーの操作を助けるマン・マシン・インターフェースとして機能する。
【００４２】
拡張ユニットが内線要求を送信する時、ＣＰＵ（Ａ１１）は、スピーカ・ユニットを駆動して内線呼び出し音を出力させる。
【００４３】
＜１７．ベースユニット呼び出し検出回路Ａ１７＞
この回路は、ブリッジ整流器ＢＲＡ３、抵抗器Ｒ３１、Ｒ３２、Ｒ３３およびオプティカル・カプラＰＨＡ４で構成される。ユーザーがベースユニットから接続を行う時、ＣＰＵ（Ａ１１）の信号ラインＨＫ２は、正の電圧レベルとなり、呼び出しがベースユニットと拡張ユニットのいずれからのものであるかを決定する。したがって、ＣＰＵ（Ａ１１）は、電話回線全体のダイヤル・コードを受信し、対応するプロセスを実行することができる。
【００４４】
図４は、図１の拡張ユニットの機能ブロック図を示し、次の構成要素が含まれている。
【００４５】
＜１．着信呼び出し検出回路Ｂ１＞
この回路はキャパシターＣ１、抵抗器Ｒ１、Ｒ２、Ｒ３およびオプティカル・カプラＰＨＢ１で構成され、信号端子ＴＩＰ、ＲＩＮＧにおいて、呼び出し音信号のモニターを行う。呼び出し音信号を検出した場合、着信呼び出し検出回路Ｂ１は、信号ラインＬＰの電圧をハイレベルに上昇させ、これにより、ＣＰＵ（Ａ１１）は、デコーダから受け取ったダイヤル・コードが、着信呼び出しであるか発信呼び出しであるかを決定し、対応するプロセスを実行する。
【００４６】
＜２．ループ・シミュレーション回路Ｂ２＞
この回路は、ブリッジ整流器ＢＲＢ１、トランジスタＴＲ−１、ＴＲ−２、抵抗器Ｒ４、Ｒ５、Ｒ６、Ｒ１１およびオプティカル・カプラＰＨＢ２で構成される。回路ブリッジは端子ＴＩＰ、ＲＩＮＧに接続する。キーセットＢ９によって、拡張ユニットのスイッチを入れた時、ＣＰＵ（Ｂ６）は信号ラインＬＰ１を駆動して、通信のために必要な直接電流ループが構成されるようにする。そして、ベースユニットは、ダイヤル呼び出しを始めることを、拡張ユニットに通知する。
【００４７】
＜３．呼び出し回路Ｂ３＞
この回路は、ループ・シミュレーション回路Ｂ２を調整するものであり、主な目的は、呼び出し回路Ｂ３のダイヤル信号を増幅し、端子ＴＩＰ、ＲＩＮＧへ送信して、ベースユニットでの信号受信を行うことである。また、この回路は、ブリッジ整流器ＢＲＢ１、トランジスタＴＲ−３、抵抗器Ｒ７、Ｒ８、Ｒ１２、Ｒ１３で構成される。
【００４８】
＜４．ダイヤラーＢ４＞
ダイヤラーＢ４は、ＦＳＫ／ＤＴＭＦ信号発生器で構成され、ＣＰＵ信号ラインＤＴ１、ＤＴ２、ＤＴ３、ＤＴ４により制御される。
【００４９】
＜５．デコーダＢ５＞
この回路は、ＤＴＭＦデコーダ、抵抗器Ｒ１４、Ｒ１５およびキャパシターＣ２、Ｃ３で構成され、通信経路にブリッジ接続する。
【００５０】
拡張ユニット電話機で、ユーザー・アカウントが入力された時、呼び出し相手のダイヤル・コードは、デコーダＢ５によってデコードされ、ＣＰＵ（Ｂ６）に送信される。その後、アルファベット・数字コード対照テーブルに従って、ダイヤル・コードは呼び出し先ユーザー・アカウントに変換され、電話帳領域メモリに格納される。
【００５１】
この回路は、コンピュータ・ネットワークからの着信ユーザー・アカウント・コードを受け、また、ＰＳＴＮユーザーから数字コードを受け取るために用いられる。
【００５２】
＜６．ＣＰＵ（Ｂ６）＞
ＣＰＵ（Ｂ６）は、信号の評価と選択されたダイヤル処理の機能を担っている。関連した検出回路の駆動信号に従って、ＣＰＵ（Ｂ６）は、ダイヤリング、選択的なピッキングおよび着信応答を制御する。
【００５３】
また、メモリに格納されているアルファベット・数字コード対照テーブルに従って、ＣＰＵ（Ｂ６）は、電話機からの数字コードを、アルファベットを組み合わせたアカウント・コードに変換し、逆に、呼び出し側からのアルファベットを組み合わせたアカウント・コードを、数字ダイヤル・コードに変換する。
【００５４】
ＣＰＵ（Ｂ６）は、変換されて受け取ったダイヤル・コードをメモリに格納すると共に、キーセットＢ９によって、削除、検索、呼び出しファンクションの送信を行う。
【００５５】
更に、ＣＰＵ（Ｂ６）は、この装置の各々の信号を送信し、制御することによって、信号に対応する可聴音声をスピーカＳＰから出力させる。
【００５６】
＜７．メモリＢ７＞
メモリＢ７は、三つの構成要素に分けられる。
【００５７】
メモリの最初の要素には、アルファベット・数字コード対照テーブルメモリと拡張ユニット番号が含まれる。この対照テーブルに従って、ＣＰＵ（Ｂ６）は、アルファベット・コードを数字コードに変換し、逆に、数字コードをアルファベット・コードに符号化する変換をする。
【００５８】
メモリの第二部品は、ユーザー・アカウント（電話帳）に対応する記憶領域である。この記憶領域は、ＣＰＵ（Ｂ６）によって、追加、削除、確認、編集を行うことができる。
【００５９】
メモリの第三の要素は、一時記憶メモリＲＯＭ３であって、少なくとも一つの着信または発信呼び出しの為のユーザー数字コードを格納するのに利用する。
【００６０】
＜８．ディスプレイＢ８＞
ディスプレイＢ８によって、数字コードに対応するユーザーの組み合わせアルファベット・コードと共に、視覚的な操作情報を表示する。
【００６１】
＜９．キーセットＢ９＞
キーセットＢ９はＳＴＯ、ＤＡ、ＵＰ、ＤＮ、ＣＬボタンから成る。それにより、直接電話帳のユーザー・アカウントを編集し、検索し、ダイヤルし、選択し、追加し、削除することができる。
【００６２】
＜１０．スピーカＡ１６＞
スピーカＡ１６は、ＣＰＵ（Ｂ６）により制御され、さまざまな可聴警報音を出力して、ユーザーの操作を助けるマン・マシン・インターフェースとして機能するスピーカ・ユニットＳＰである。
【００６３】
拡張ユニットが内線要求を送信する時、ＣＰＵ（Ｂ６）は、スピーカ・ユニットＳＰを駆動して内線呼び出し音を出力させる。
【００６４】
＜１１．拡張ユニット呼び出し検出回路Ｂ１１＞
この回路は、ブリッジ整流器ＢＲＢ２、抵抗器Ｒ１７、Ｒ１８、Ｒ１９およびオプティカル・カプラＰＨＢ３で構成される。ユーザーが拡張ユニットから接続を行う時、ＣＰＵ（Ｂ６）の信号ラインＨＫは、正の電圧レベルとなり、呼び出しがベースユニットと拡張ユニットのいずれからのものであるかを決定する。したがって、ＣＰＵ（Ｂ６）は、電話回線全体のダイヤル・コードを受信し、対応するプロセスを実行することができる。
【００６５】
＜ベースユニットの機能＞
＜１．ベースユニット・ダイヤリング・モード＞
アカウントタイプのネットワーク・ベース・ユーザーの呼び出し手続き
【００６６】
ベースユニットの電話機セットで、コンピュータ・ネットワーク・エンドユーザーへ呼び出しを行う場合、それが初めての呼び出しであるなら、ベースユニットはユーザーのアルファベット・コードを対応する数字コードに変換する。この数字コードは、従来の電話機で、直接ダイヤルできるコードである。
【００６７】
ダイヤル呼び出しのためのユーザー・アカウントがｔｏｎｅ８８７９である場合、それは上記テーブルに従って、２０１５１４０５および８８７９に変換される。そして、ユーザーが電話機を取り上げ（フックアップ）、ベースユニット呼び出し検出回路Ａ１７と呼び出し検出回路Ａ１を起動させ、信号ラインＨＫ１、ＨＫ２を正の電圧レベルとし、ダイヤル・コードの入力待ち状態とする。
【００６８】
ベースユニットの数字キーボード上で＊２０１５１４０５＊８８７９をダイヤルすると、このダイヤル・コードは、デコーダにより受信されて、デコードした後にＣＰＵ（Ａ１１）に送信される。
【００６９】
ＣＰＵ（Ａ１１）がダイヤル・コードを受信する時に、２つの＊記号間の数字を、アルファベットに変換する必要がある。従って、＊２０１５１４０５＊を”ｔｏｎｅ”に変換して、８８７９を加える。そして、アルファベットおよび数字＊２０１５１４０５＊８８７９は、ディスプレイＡ１４に表示される。その後、変換されたアカウントｔｏｎｅ８８７９は、コンピュータ側に転送されて、信号ラインＣＨ２を介して、整流器ＲＹ２を駆動し、通信カップリング回路Ａ１０に接続し、ベースユニットおよびコンピュータ・ネットワークの間で通信を確立する。これにより、ベースユニット・ダイヤリング・呼び出し手続きが完了する。
【００７０】
＜数字コードタイプのネットワーク・ベース・ユーザーを呼び出し手続き＞
ＣＰＵ（Ａ１１）がダイヤル・コードを受信する時、ダイヤル・コードが数字ユーザー・アカウントに属するかどうかを決定する。そして、ＣＰＵ（Ａ１１）は、ループ制御回路Ａ３を駆動することにより、信号ラインＬＰを制御し、ＰＳＴＮと直接の電流ループを形成する。これにより、離れた交換機で、ダイヤルナンバーを受信させることが可能となる。
【００７１】
ＣＰＵ（Ａ１１）は、呼び出し回路Ａ４のスイッチを入れて、受け取った数字コードをダイヤラーに送信する。呼び出し回路Ａ４は、数字コードを増幅し、ＰＳＴＮラインへ送信する。離れた交換機が、呼び出しエンドユーザーの電話機番号を受信する。
【００７２】
電話機コードの送信が完了した時、ＣＰＵ（Ａ１１）は、リレーＲＹ１を駆動して、信号ラインＣＨ１を制御する。それから、ＣＰＵ（Ａ１１）は、通信経路をＰＳＴＮのラインＬ１、Ｌ２に切り替えて、ベースユニット側とＰＳＴＮの間で通信接続を確立する。その後、信号ラインＬＰ、ＤＳ１は、ループ制御回路Ａ３を開放して、ＰＳＴＮ送信の呼び出し手続きを完了する。
【００７３】
＜ベースユニットの選択的なダイヤリング・モード＞
ベースユニットがダイヤルするコンピュータ・ユーザー・アカウントがすでにベースユニットのメモリに格納される場合、ユーザーはベースユニットのキーセットによって、ユーザー・アカウントをチェックできる。
【００７４】
ディスプレイＡ１４は、キーセットＡ１５の操作に従って、メモリのユーザー・アカウントをシーケンシャルに表示できる。
【００７５】
ターゲットのユーザーをマークした後に、ユーザーはＤＡボタンを押す。もし、呼び出し側がアルファベット・アカウントを有するユーザーである場合、ＣＰＵ（Ａ１１）は、アカウント・ダイヤリング手続きを行って、ネットワーク・ベースの電話機からの呼び出しを完了する。
【００７６】
呼び出し側が数字コードを有するユーザーである場合、ＣＰＵ（Ａ１１）は数字ダイヤリング手続きを実施して、ＰＳＴＮ電話機からの呼び出しを完了する。
【００７７】
ダイヤリング手続きの後、ＣＰＵ（Ａ１１）はスピーカ・ユニットＳＰを駆動して、可聴呼び出し音を出力させる。それによって、ユーザーは、電話機を接続することができ、呼び出し相手から通信を待つことができる。
【００７８】
＜２．コンピュータ・ネットワーク着信応答手続き＞
呼び出しが離れたコンピュータ・ユーザーからあった時は、送信インタフェースから信号が受信される。この信号は、オーディオ回路Ａ１２を介してＣＰＵ（Ａ１１）に通知され、ディスプレイで表示される。ここで、アカウントは表示用に数字コードに変換される。
【００７９】
ＣＰＵ（Ａ１１）は、信号ラインＤＳ２を開放して、アカウントを表示可能な数字コードに変換する。数字コードは、ダイヤラーＡ６および呼び出し電力回路Ａ７を介して順次、端子ＴＩＰ、ＲＩＮＧへ送信され、この回線の拡張ユニットで受信され、ディスプレイＡ１４で表示される。そして、アカウントは、数字コードに変換され、ディスプレイＡ１４に同時に表示される。
【００８０】
ＣＰＵ（Ａ１１）は、信号ラインＲＮ、ＦＺおよび呼び出し電力回路Ａ７を駆動して、呼び出し音信号を端子ＴＩＰ、ＲＩＮＧへ送信して、呼び出し音を生じさせる。ユーザーが電話機を取り上げると、呼び出し検出回路Ａ１が起動し、ＣＰＵ（Ａ１１）によって、呼び出し音が停止される。ＣＰＵ（Ａ１１）が信号ラインＣＨ２を駆動すると、リレーＲＹ２が働き、通信カップリング回路Ａ１０に接続し、通信が確立する。
【００８１】
＜３．ＰＳＴＮ着信応答手続き＞
ＰＳＴＮから呼び出しがあった時は、ベースユニットの着信呼び出し検出回路Ａ２は、呼び出し音信号を検出して、信号ラインＲＧをハイレベルの電圧として、ＰＳＴＮ着信をＣＰＵ（Ａ１１）に通知する。
【００８２】
また、ベースユニットのＣＰＵ（Ａ１１）は、ラインＬ１、Ｌ２にブリッジ接続して、ＰＳＴＮから着信呼び出しコードを受信する。
【００８３】
ＣＰＵ（Ａ１１）は、信号ラインＤＳ２を開放して、ＰＳＴＮから受け取った着信呼び出しコードをディスプレイＡ１４に表示し、順次、端子ＴＩＰ、ＲＩＮＧへ送信し、同じ回線の拡張ユニットで、この着信呼び出しコードを受信し、ディスプレイＡ１４で表示させる。
【００８４】
電話機コード送信が完了した時、ＣＰＵ（Ａ１１）は、信号ラインＣＨ１を駆動して、リレーＲＹ１が働くようにし、通信経路をラインＬ１、Ｌ２に切り替える。ＰＳＴＮは、直接この回線の装置で、呼び出し音を鳴らす。
【００８５】
電話機が発信呼び出し又は着信応答を行う場合、ベースユニットの呼び出し検出回路Ａ１は、正の電圧レベルを出力し、ＣＰＵ（Ａ１１）はリレーＲＹ１を起動状態としておく。これに対して、応答が無い場合、または、着信呼び出し検出回路Ａ２が呼び出し音信号を受信しない場合は、ＣＰＵはリレーＲＹ１を開放して、回線を待機状態に戻す。
【００８６】
＜４．呼び出し元の開放手続き＞
ベースユニットや拡張ユニットの電話機セットの通信が完了した時、ユーザーは電話機を掛ける。そして、ベースユニット呼び出し検出回路Ａ１は、信号ラインＨＫ１を駆動して、その電圧レベルをローレベルとし、通信が完了したことを、ＣＰＵ（Ａ１１）に通知する。そして、ＣＰＵ（Ａ１１）は、ＰＳＴＮ通信モードのリレーＲＹ１を開放するか、またはネットワーク・ベースの電話通信モードのリレーＲＹ２を開放して、手続きを完了する。
【００８７】
＜５．内線呼び出し手続き＞
ベースユニットまたは拡張ユニットは、内線呼び出しのために、互いにダイヤルすることが可能で、装置に実装されている内線通信機能を実行することができる。いずれかのユニットが、別のユニットの呼び出しを行うことが必要となった時、以下の処理が行われる。
【００８８】
ユーザーは電話機を取り上げて、ダイヤル警告音を聞く。そして、内線番号を入力する。この内線番号は、例えば＊＊１から＊＊９であり、それぞれ内線１番から内線９番を意味する。
【００８９】
呼び出し相手の内線は、スピーカ・ユニットＳＰを介して、内線呼び出し音を出力する。
【００９０】
呼び出し相手が応答するか他の内線へ転送するまで、呼び出し側は、待ち時間の間、繰り返し呼び出し続ける。
【００９１】
＜６．拡張ユニットの機能＞
＜拡張ユニット・ダイヤリング・モード＞
拡張ユニットの電話機セットで、コンピュータ・ネットワーク・エンドユーザーへの呼び出しを行う場合、それが初めての呼び出しであるなら、拡張ユニットはユーザーのアルファベット・コードを対応する数字コードに変換する。この数字コードは、従来の電話機で、直接ダイヤルできるコードである。
【００９２】
ダイヤル呼び出しのためのユーザー・アカウントがｔｏｎｅ５９７８である場合、それは上記テーブルに従って、２０１５１４０５および５９７８に変換される。そして、ユーザーが電話機を取り上げ（フックアップ）、拡張ユニット呼び出し検出回路Ｂ１１を起動させ、信号ラインＨＫを正の電圧レベルとし、ＣＰＵ（Ｂ６）がダイヤル・コードを受信できるようにする。
【００９３】
ユーザーは、数字キーボード上で＊２０１５１４０５＊８８７９をダイヤルする。そして、ダイヤル・コードはデコーダＢ５により受信され、デコードした後にこのダイヤル・コードをＣＰＵ（Ｂ６）に送信する。
【００９４】
ＣＰＵ（Ｂ６）がダイヤル・コードを受信する時に、２つの＊記号間の数字を、アルファベットに変換する必要がある。従って、＊２０１５１４０５＊を”ｔｏｎｅ”に変換して、８８７９を加える。それから、アルファベットおよび数字＊２０１５１４０５＊８８７９は、ディスプレイＢ８に表示される。
【００９５】
前面のベースユニットは、デコーダＢ５を介してコードを受信し、ＣＰＵ（Ｂ６）によって、このコードをデコードする。
【００９６】
ＣＰＵ（Ｂ６）は、ダイヤル・コードのプロパティに従ってアカウントまたは数字ダイヤリング手続きを実行する。
【００９７】
＜拡張ユニットの選択的なダイヤリング・モード＞
ベースユニットがダイヤルするコンピュータ・ユーザー・アカウントがすでに拡張ユニットのメモリＢ７に格納される場合、ユーザーはベースユニットのキーセットＢ９によって、ユーザー・アカウントをチェックできる。
【００９８】
ディスプレイは、キーセットＢ９の操作に従って、メモリＢ７のユーザー・アカウントをシーケンシャルに表示できる。
【００９９】
ターゲットのユーザーをマークした後に、ユーザーはＤＡボタンを押す。その後、ＣＰＵ（Ｂ６）は、信号ラインＬＰ１を駆動して、ループ・シミュレーション回路Ｂ２が働くようにし、端子ＴＩＰ、ＲＩＮＧ間に直接の電流ループを形成して、着信呼び出し検出回路Ｂ１を起動する。
【０１００】
ＣＰＵ（Ｂ６）は、メモリＢ７を介して、マークしたユーザーのアカウント・コードを得て、それを信号増幅の為に、ダイヤラーＢ４を介して、呼び出し回路Ｂ３に送信する。ループ・シミュレーション回路を介して、端子ＴＩＰ、ＲＩＮＧ間にダイヤル・コード信号が得られ、拡張ユニットのデコーダがそれを受信する。
【０１０１】
ＣＰＵ（Ｂ６）は、ダイヤル・コードのプロパティに従って、アカウントまたは数字ダイヤリング手続きを実行する。
【０１０２】
手続きが完了した時、ＣＰＵ（Ｂ６）は、可聴呼び出し音を出力する。それによって、ユーザーは電話機を取り上げて、呼び出し相手から通信を待つことができる。
【０１０３】
＜７．ユーザー・アカウント記録編集手続き＞
ベースユニットまたは拡張ユニットは、着信呼び出しユーザー・アカウントを、メモリの一時記憶領域から電話帳記憶領域に移動させることができる。キーセットによって、必要なユーザー・アカウントを選んだ後に、ＳＴＯボタンを押して、このアカウントを、電話帳記憶領域に格納したり、逆に、ＣＬボタンを押すことによって、このアカウントを削除したりする。
【０１０４】
ベースユニットまたは拡張ユニットは、前もってユーザー・アカウントをメモリに格納しておくこともできる。もし、ユーザーがアカウントｋｅｎ−３３４９をメモリに予め格納する場合、そのアカウントは、１１０５１４２７および３３４９に変換される。それで、そのユーザーは電話機を取り上げて、＃２０１５１４０５＃３３４９と入力すると、それはデコーダによって変換され、その後、ＣＰＵに送信される。
【０１０５】
ＣＰＵがダイヤル・コードを受信する時、ＣＰＵは、２つの＃記号の間の数字を、アルファベットに変換する。それで、＃１１０５１４２７＃は”ｋｅｎ”および付加数字３３４９に変換される。それから、アルファベットおよび数字＃１１０５１４２７＃３３４９は、一緒にディスプレイに表示される。
【０１０６】
ＣＰＵは、ダイヤル・コードの最初の記号が＃であることを検出すると、コンピュータは、ユーザー呼び出し手続きを実行しない。しかしながら、記憶完了音を出力した後、ＣＰＵは他のユーザー・アカウントの記憶を処理することができる。ユーザーが電話機を切ると、待機状態に戻る。
【０１０７】
上記具体例と説明により、本発明の機能および趣旨は、十分に記述されている。当業者は、本発明の教示に基づいて、容易に様々な変形や修正を行うことができる。したがって、本発明の請求の範囲の記述によってのみ限定的に、上記の開示内容を解釈するべきである。
【図面の簡単な説明】
【０１０８】
【図１】本発明によるシステムの機能ブロック図
【図２】図１のベースユニットの機能ブロック図
【図３】本発明のアルファベット・数字コード対照テーブル
【図４】図１の拡張ユニットの機能ブロック図
【符号の説明】
【０１０９】
Ａ１            呼び出し検出回路
Ａ１０          通信カップリング回路
Ａ１２          オーディオ回路
Ａ１３          メモリ
Ａ１４          ディスプレイ
Ａ１５          キーセット
Ａ１６          スピーカ
Ａ１７          ベースユニット呼び出し検出回路
Ａ２            着信呼び出し検出回路
Ａ３            ループ制御回路
Ａ４            呼び出し回路
Ａ５            通信スイッチング回路
Ａ６            ダイヤラー
Ａ７            呼び出し電力回路
Ａ８            デコーダ
Ａ９            コンピュータ通信スイッチング回路
Ｂ１            着信呼び出し検出回路
Ｂ１１          拡張ユニット呼び出し検出回路
Ｂ２            ループ・シミュレーション回路
Ｂ３            呼び出し回路
Ｂ４            ダイヤラー
Ｂ５            デコーダ
Ｂ７            メモリ
Ｂ８            ディスプレイ
Ｂ９            キーセット
ＢＲＡ１〜３    ブリッジ整流器
ＢＲＢ１、２    ブリッジ整流器
ＢＳ            ベースユニット
Ｃ１〜６        キャパシター
ＣＨ１、２      信号ライン
ＣＴ１          整流コイル
ＤＳ１、２      信号ライン
ＤＴ１〜４      信号ライン
ＥＸ１〜３      拡張ユニット
ＨＫ            信号ライン
ＨＫ１、２      信号ライン
Ｌ１、２        ライン
ＬＰ            信号ライン
ＤＳ１          信号ライン
ＬＰ１          信号ライン
ＮＴ            ネットワークシステム
ＯＰＡ、ＯＰＢ  演算増幅器
ＰＣ            コンピュータ
ＰＨＡ１〜４    カプラ
ＰＨＢ１〜３    カプラ
Ｒ１〜３３      抵抗器
ＲＧ            信号ライン
ＲＮ            信号ライン
ＦＺ            信号ライン
ＲＯＭ１〜３    数字コード対照テーブルメモリ
ＲＹ            リレー
ＲＹ１          リレー
ＲＹ１ａ、１ｂ  リレー接点
ＲＹ２          リレー
ＳＰ            スピーカ
Ｔ１、２        電話機接続端子
ＴＡＢ１ａ      アルファベット・コード
ＴＡＢ１ｂ      数字コード
ＴＥＬ１〜４    電話機
ＴＩＰ          信号端子
ＲＩＮＧ        信号端子
ＴＲ            トランジスタ
ＴＲ１〜５      トランジスタ
【図１】
2009022000.tif 000003
【図２】
2009022000.tif 000004
【図３】
2009022000.tif 000005
【図４】
2009022000.tif 000006